(57)【要約】【課題】バッテリーで駆動する移動型音声出力装置の消費出力を低減させることのできる移動型音声出力装置を提供すること。【解決手段】電源供給部１２は、再生装置から電源供給を受けている際にはバッテリー１４を充電し、電源供給を受けていない際にはバッテリー１４による駆動を行う。電源供給部１２において再生装置から電源供給を受けていないことが検出された場合には、無線インターフェース部１１は、再生装置との間の無線チャネルの設定を行い、該無線チャネルを介して再生装置から音声データを受信する。一方、電源供給を受けていることが検出された場合には、再生装置との間の無線チャネルの切断を行う。【選択図】    図４
2005079614.tif 000002
【特許請求の範囲】
【請求項１】
コンテンツ再生装置との間の無線チャネルの設定及び切断の制御を行うとともに、該コンテンツ再生装置から該無線チャネルを介して音声データを受信する無線インタフェース手段と、
前記音声データを再生する再生手段と、
前記無線インタフェース手段及び前記再生手段へ電源を供給するためのバッテリーと、
前記コンテンツ再生装置へ接続することによって、前記コンテンツ再生装置から電源の供給を受けるための接続インタフェース手段と、
前記接続インタフェース手段を介して前記コンテンツ再生装置から電源の供給を受けているときは前記バッテリーを充電し、前記コンテンツ再生装置から電源の供給を受けていないときは前記バッテリーにより前記無線インタフェース手段及び前記再生手段へ電源を供給する電源供給手段とを備え、
前記電源供給手段は、前記コンテンツ再生装置から電源の供給を受けていない場合には、その旨を含む第１の通知情報を前記無線インタフェース手段へ送り、前記コンテンツ再生装置から電源の供給を受けている場合には、その旨を含む第２の通知情報を前記無線インタフェース手段へ送り、
前記無線インタフェース手段は、前記第１の通知情報を受けると前記無線チャネルの設定を行い、前記第２の通知情報を受けると前記無線チャネルを切断することを特徴とする移動型音声出力装置。
【請求項２】
音声データを含むコンテンツを、外部から入力する手段と、移動型音声出力装置との間の無線チャネルの設定及び切断の制御を行うとともに、該無線チャネルを介して該移動型音声出力装置へ前記音声データを送信する無線インタフェース手段と、
前記移動型音声出力装置を接続可能な接続インタフェース手段と、
前記接続インタフェース手段に接続された前記移動型音声出力装置へ電源を供給するための電源供給手段とを備え、
前記電源供給手段は、前記移動型音声出力装置へ電源を供給していない場合には、その旨を含む第１の通知情報を前記無線インタフェース手段へ送り、前記移動型音声出力装置へ電源を供給している場合には、その旨を含む第２の通知情報を前記無線インタフェース手段へ送り、
前記無線インタフェース手段は、前記第１の通知情報を受けると前記無線チャネルの設定を行い、前記第２の通知情報を受けると前記無線チャネルを切断ことを特徴とするコンテンツ再生装置。
【請求項３】
ユーザから前記コンテンツの再生に関する指示を受けるとともに、この指示が予め定められた第１のグループに属する指示である場合には、その旨を含む第３の通知情報を前記無線インタフェース手段へ送り、この指示が予め定められた第２のグループに属する指示である場合には、その旨を含む第４の通知情報を前記無線インタフェース手段へ送り、
前記無線インタフェース手段は、前記第１の通知情報を受けている状態で前記第３の通知情報を受けると前記無線チャネルの設定を行い、前記第２の通知情報を受けている状態で前記第４の通知情報を受けると前記無線チャネルを切断することを特徴とする請求項２に記載のコンテンツ再生装置。
【請求項４】
前記第１のグループに属する指示は、少なくとも再生の指示を含み、前記第２のグループに属する指示は、少なくとも停止の指示を含むことを特徴とする請求項３に記載のコンテンツ再生装置。
【請求項５】
映像データ及び音声データを含むコンテンツを、外部から入力する手段と、
複数の音声出力装置へ前記音声データを伝送する手段と、
映像表示装置へ前記映像データを伝送する手段と、
各々の前記音声出力装置に前記音声データを伝送する際の伝送遅延及び前記映像表示装置に前記映像データを伝送する際の伝送遅延、並びに各々の前記音声出力装置において前記音声データを再生する際の再生遅延及び前記映像表示装置において前記映像データを再生する際の再生遅延を求める第１の処理手段と、
前記伝送遅延及び再生遅延に基づいて、前記音声出力装置及び前記映像表示装置の各々において設けさせる追加遅延時間を、全ての前記音声出力装置及び前記映像表示装置において伝送遅延と再生遅延と追加遅延時間との和が等しくなるように、決定する第２の処理手段と、
前記音声出力装置へ前記追加遅延時間を通知する手段と、
前記映像表示装置へ前記映像データを伝送するにあたって、前記追加遅延時間に等しい遅延を設ける手段とを備えたことを特徴とするコンテンツ再生装置。
【請求項６】
前記第２の処理手段は、前記音声出力装置及び前記映像表示装置の各々について伝送遅延と再生遅延との和を求め、該伝送遅延と再生遅延との和の最大値を求め、前記音声出力装置及び前記映像表示装置の各々につき、当該伝送遅延と再生遅延との和と、該最大値との間の差分値に基づいて、追加遅延時間を決定することを特徴とする請求項５に記載のコンテンツ再生装置。
【請求項７】
移動型音声出力装置から電源の供給を受けて内蔵するバッテリーを充電する移動型音声出力装置の無線チャネル制御方法において、
前記コンテンツ再生装置へ接続した接続インタフェース手段を介して前記コンテンツ再生装置から電源の供給を受けているか否かを検出し、
前記コンテンツ再生装置から電源の供給を受けていないことが検出された場合に、前記コンテンツ再生装置との間の無線チャネルの設定を行い、
前記無線チャネルを介して前記コンテンツ再生装置から音声データを受信することを特徴とする無線チャネル制御方法。
【請求項８】
バッテリーを内蔵する移動型音声出力装置へ電源を供給するコンテンツ再生装置の無線チャネル制御方法において、
前記移動型音声出力装置を接続した接続インタフェース手段を介して前記移動型音声出力装置へ電源を供給しているか否かを検出し、
前記移動型音声出力装置へ電源を供給していないことが検出された場合に、前記移動型音声出力装置との間の無線チャネルの設定を行い、
前記無線チャネルを介して前記移動型音声出力装置へ音声データを送信することを特徴とする無線チャネル制御方法。
【請求項９】
コンテンツに含まれる映像データ及び音声データを、映像表示装置及び複数の音声出力装置へ伝送するコンテンツ再生装置の同期制御方法において、
各々の前記音声出力装置に前記音声データを伝送する際の伝送遅延及び前記映像表示装置に前記映像データを伝送する際の伝送遅延、並びに各々の前記音声出力装置において前記音声データを再生する際の再生遅延及び前記映像表示装置において前記映像データを再生する際の再生遅延を求め、
前記伝送遅延及び再生遅延に基づいて、前記音声出力装置及び前記映像表示装置の各々において設けさせる追加遅延時間を、全ての前記音声出力装置及び前記映像表示装置において伝送遅延と再生遅延と追加遅延時間との和が等しくなるように、決定し、
前記音声出力装置へ前記追加遅延時間を通知し、
前記映像表示装置へ前記映像データを伝送するにあたって、前記追加遅延時間に等しい遅延を設けることを特徴とする同期制御方法。
【発明の詳細な説明】
【０００１】
【発明の属する技術分野】
本発明は、コンテンツの再生のための移動型音声出力装置、コンテンツ再生装置、無線チャネル制御方法及び同期制御方法に関する。
【０００２】
【従来の技術】
映像／音声コンテンツを再生するシステムとしては、例えば、コンテンツを復号化するプレーヤー等の装置と、コンテンツを再生するＴＶ等の装置との間を有線ケーブルで接続し、ＤＶＤディスクに記録された映像／音声コンテンツをＤＶＤプレーヤー等で再生し、その音声／画像信号をＴＶ等に送って再生するものが一般的である。
【０００３】
一方、近年では、無線システムの進歩に伴い、プレーヤー等とＴＶ等との間を無線化して、ポータブルに利用できるシステムが実用化されようとしている。この場合、一般には、それら装置間で無線通信を行うため、データ転送の間、無線チャネルを構築しておく必要がある。チャネル構築については、これをユーザが手動で行うようにしたシステムか、あるいは電源が供給されれば常時無線チャネルをオープンさせるシステムが通常である（例えば、特許文献１参照）。
【０００４】
さらに、再生装置側が小型化され、ポータビリティの向上と共に、それらを任意の場所に配置したいという要求が出て来ている。例えば、無線インターフェースとデジタル音声情報を再生する機能とを持つ無線スピーカなどが、その代表例である。この場合、無線スピーカなどの再生装置側には、無線通信機能やデジタル音声情報の再生機能の他に、それらを駆動するためのバッテリーなどの搭載が必要となる。
【０００５】
ここで、再生装置の代表的な従来例に、ワイヤレスヘッドホンがある。ワイヤレスヘッドホンは、プレーヤ等の本体側装置との間の通信チャネルを常時確保して該本体側から送られてくる音楽情報を再生するものであり、かつ、赤外線などの省電力の通信が行われるので、ワイヤレスヘッドホンについてはそれほど電力消費などの問題は発生することがなかった。
【０００６】
これに対して、バッテリー駆動による無線スピーカにて再生を行うシステムであって、かつ、本体側装置と無線スピーカとの間のＡＶデータの伝送にＲＦ信号による無線通信を用いるシステムを前提とする場合、その消費電力を考慮すると、本体側装置と無線スピーカとの間の通信チャネルを常時確保することは、非常に困難である。
【０００７】
次に、無線システム上でＡＶデータを伝送する場合、伝送遅延だけでなく、各装置でのＡＶコンテンツの再生遅延などの、データの遅延や、ゆらぎが発生する。一般に、コンテンツの再生遅延は、事前にあらゆるコンテンツに対して静的に固定できるものではないため、映像と音声がそれぞれ無線で接続された装置で再生される場合には、その遅延を補正し、同期してコンテンツが再生されるような仕組みが必要であるが、このような仕組みが提供されていなかった。
【０００８】
【特許文献１】
特開２００２−０６４８９６公報
【０００９】
【発明が解決しようとする課題】
従来、バッテリー駆動で且つ無線接続されるスピーカをコンテンツ再生装置の本体と連携して動作させる場合、スピーカの消費電力を抑えることが難しかった。一方、スピーカで再生される音声と、コンテンツ再生装置又はその周辺機器で再生される映像とをユーザに対して同期させて再生出力させることが難しかった。
【００１０】
本発明は、上記事情を考慮してなされたもので、バッテリーで駆動する移動型音声出力装置の消費出力を低減させることのできる移動型音声出力装置、コンテンツ再生装置及び無線チャネル制御方法を提供することを目的とする。
【００１１】
また、本発明は、映像や複数の音声を同期させることのできるコンテンツ再生装置及び同期制御方法を提供することを目的とする。
【００１２】
【課題を解決するための手段】
本発明に係る移動型音声出力装置は、コンテンツ再生装置との間の無線チャネルの設定及び切断の制御を行うとともに、該コンテンツ再生装置から該無線チャネルを介して音声データを受信する無線インタフェース手段と、前記音声データを再生する再生手段と、前記無線インタフェース手段及び前記再生手段へ電源を供給するためのバッテリーと、前記コンテンツ再生装置へ接続することによって、前記コンテンツ再生装置から電源の供給を受けるための接続インタフェース手段と、前記接続インタフェース手段を介して前記コンテンツ再生装置から電源の供給を受けているときは前記バッテリーを充電し、前記コンテンツ再生装置から電源の供給を受けていないときは前記バッテリーにより前記無線インタフェース手段及び前記再生手段へ電源を供給する電源供給手段とを備え、前記電源供給手段は、前記コンテンツ再生装置から電源の供給を受けていない場合には、その旨を含む第１の通知情報を前記無線インタフェース手段へ送り、前記コンテンツ再生装置から電源の供給を受けている場合には、その旨を含む第２の通知情報を前記無線インタフェース手段へ送り、前記無線インタフェース手段は、前記第１の通知情報を受けると前記無線チャネルの設定を行い、前記第２の通知情報を受けると前記無線チャネルを切断することを特徴とする。
【００１３】
また、本発明に係るコンテンツ再生装置は、音声データを含むコンテンツを、外部から入力する手段と、移動型音声出力装置との間の無線チャネルの設定及び切断の制御を行うとともに、該無線チャネルを介して該移動型音声出力装置へ前記音声データを送信する無線インタフェース手段と、前記移動型音声出力装置を接続可能な接続インタフェース手段と、前記接続インタフェース手段に接続された前記移動型音声出力装置へ電源を供給するための電源供給手段とを備え、前記電源供給手段は、前記移動型音声出力装置へ電源を供給していない場合には、その旨を含む第１の通知情報を前記無線インタフェース手段へ送り、前記移動型音声出力装置へ電源を供給している場合には、その旨を含む第２の通知情報を前記無線インタフェース手段へ送り、前記無線インタフェース手段は、前記第１の通知情報を受けると前記無線チャネルの設定を行い、前記第２の通知情報を受けると前記無線チャネルを切断ことを特徴とする。
【００１４】
また、本発明に係るコンテンツ再生装置は、映像データ及び音声データを含むコンテンツを、外部から入力する手段と、複数の音声出力装置へ前記音声データを伝送する手段と、映像表示装置へ前記映像データを伝送する手段と、各々の前記音声出力装置に前記音声データを伝送する際の伝送遅延及び前記映像表示装置に前記映像データを伝送する際の伝送遅延、並びに各々の前記音声出力装置において前記音声データを再生する際の再生遅延及び前記映像表示装置において前記映像データを再生する際の再生遅延を求める第１の処理手段と、前記伝送遅延及び再生遅延に基づいて、前記音声出力装置及び前記映像表示装置の各々において設けさせる追加遅延時間を、全ての前記音声出力装置及び前記映像表示装置において伝送遅延と再生遅延と追加遅延時間との和が等しくなるように、決定する第２の処理手段と、前記音声出力装置へ前記追加遅延時間を通知する手段と、前記映像表示装置へ前記映像データを伝送するにあたって、前記追加遅延時間に等しい遅延を設ける手段とを備えたことを特徴とする。
【００１５】
なお、装置に係る本発明は方法に係る発明としても成立する。
【００１６】
本発明によれば、無線接続された移動型音声出力装置を、コンテンツ再生装置の本体と連携して動作させる場合、最低限の消費電力となるように、必要なときにのみ無線チャネルを構築することができるようになる。
【００１７】
また、本発明によれば、無線接続された移動型音声出力装置で再生される音声と、映像表示装置で再生される映像とを、ユーザに対し、同期させて再生して表示させることができる。
【００１８】
【発明の実施の形態】
以下、図面を参照しながら発明の実施の形態を説明する。
【００１９】
（第１の実施形態）
図１に、本発明の第１の実施形態に係るコンテンツ再生システムの構成例を示す。
【００２０】
図１に示されるように、本コンテンツ再生システムは、所定数の無線スピーカ（本コンテンツ再生システムのうち各移動型音声出力装置の部分）１と、これを着脱可能な本体側装置（本コンテンツ再生システムのうち無線スピーカを除いたコンテンツ再生装置の部分）２とを備えている。
【００２１】
コンテンツとしては、映像及び音声を含むコンテンツを想定しているが、映像を含まず音声を含むコンテンツでも同様である。
【００２２】
本体側装置２は、基本的には、再生すべきコンテンツを無線スピーカ１等の各出力装置へ供給する機能を有するものであるが、本体側装置２に内蔵の表示画面については、これを備える構成と備えない構成が可能であり、また、本体側装置２に内蔵のスピーカについても同様である。
【００２３】
本体側装置２は、具体的には、例えば、ＤＶＤプレーヤ等の映像再生装置などが、これに該当する。
【００２４】
図１では、２ｃｈシステムを想定して、無線スピーカ１を２つとした場合を例にとっているが、もちろん、これに限定されるものではなく、無線スピーカ１が、１つであってもよいし、３つ以上であってもよい。また、例えば、当初は、無線スピーカ１を２つ備えておき、将来的には、５つまで増設可能というように、拡張性も持たせてもよい。
【００２５】
図２（ａ）に、無線スピーカ１の電源供給部の接続インターフェース部（図中、２３１）の一例を示し、図２（ｂ）に、本体側装置２の電源供給部の接続インターフェース部（図中、１２１）の一例を示す。本体側装置２の電源供給部２３の接続インターフェース部に各無線スピーカ１の電源供給部１２を物理的に接続して、それらを一体化させたイメージが、図１である。もちろん、図２の接続インターフェース部は一例であり、他にも種々のバリエーションが可能である。
【００２６】
本実施形態では、本コンテンツ再生システムを利用する際には、本体側装置２から各無線スピーカ１を分離し所望の場所に設置して使用する。また、この際、各無線スピーカ１は、内蔵のバッテリーで駆動されるようになっている。
【００２７】
一方、本コンテンツ再生システムを利用しない際には、図１のように本体側装置２へ各無線スピーカ１を装着する。また、この際、本体側装置２から各無線スピーカ１へ給電を行い、各無線スピーカ１の内蔵のバッテリーを充電することができるようになっている。
【００２８】
次に、図３に、本コンテンツ再生システムの本体側装置２の構成例を示す。
【００２９】
図３に示されるように、本体側装置２は、無線インターフェース部２１、ＡＶ復号部２２、電源供給部２３を備えている。
【００３０】
本体側装置２では、ＡＶコンテンツのデータを、記録メディアから取得する機能と、ネットワーク経由にて取得する機能の一方又は双方を有する。この機能を有するコンテンツ取得部は図３では省略している。
【００３１】
ＡＶ復号部２２は、取得されたＡＶコンテンツを復号して、音声データと映像データとを生成する。
【００３２】
ＡＶ復号部２２で生成された音声データは無線インターフェース部２１へ供給され、映像データは例えばＴＶ等のモニタ３に直接供給される。
【００３３】
無線インターフェース部２１は、音声データを、無線転送するために再度符号化した後に、各無線スピーカ１に転送する。
【００３４】
ここでは、各無線スピーカ１は固有のアドレスを備えており、無線インターフェース部２１は、各無線スピーカ１の固有のアドレスと、スピーカがどのチャンネル（例えば、右音声、左音声等）に対応しているかを示す情報等の属性情報とを対応付けてテーブルで管理しているものとする。そして、無線インターフェース部２１は、このテーブルを参照して、各チャネルの音声データを、対応する無アドレスの無線スピーカ１に送信する。
【００３５】
また、モニタ３は、映像データを表示する。このモニタ３は、本体側装置２に含まれるものであっても、外部に接続されるものであってもよい。
【００３６】
なお、各無線スピーカ１が使用されない際には、モニタ３に音声出力機能があれば音声データを映像データとともにモニタ３に供給して出力させるようにしても構わないし、あるいは、本体側装置２に内蔵のスピーカがあれば、音声データを該内蔵のスピーカから出力させるようにしても構わない。
【００３７】
一方、電源供給部２３は、当該本体側装置２内の各部に電源を供給するとともに、前述したように自装置へ装着された無線スピーカ１へも電源を供給する。なお、無線スピーカ１への電源供給は、ＡＣで行うものであっても、ＤＣで行うものであっても構わない。また、この電源供給部２３に対する電源供給方法はＡＣ電源若しくはＤＣ電源による方法又は電池による方法など、どのようなものであっても構わない。
【００３８】
次に、図４に、本コンテンツ再生システムの無線スピーカ１の構成例を示す。
【００３９】
図４に示されるように、無線スピーカ１は、無線インターフェース部１１、電源供給部１２、音声再生部１３、バッテリー１４を備えている。
【００４０】
無線インターフェース部１１は、本体側装置２が自装置に宛てて送信した音声データを受信し、これを復号した後に、音声再生部１３へ転送する。
【００４１】
音声再生部１３は、転送された音声データを、音声としてスピーカから再生出力する。
【００４２】
当該無線スピーカ１が本体側装置２から分離されて使用される際には、電源供給部１２は、バッテリー１４から電源の供給を受けて、当該無線スピーカ１内の各部に電源を供給する。また、この際、外部からの電源供給が断たれていることを判断し、その旨を含む第１の通知情報を無線インターフェース部１１に通知する。一方、当該無線スピーカ１が本体側装置２へ装着された際には、電源供給部１２は、該本体側装置２から電源の供給を受けて、当該無線スピーカ１内の各部に電源を供給するとともに、バッテリー１４を充電する。また、この際、外部から電源が供給されていることを判断し、その旨を含む第２の通知情報を無線インターフェース部１１に通知する。このとき装着時の音声データを無線ではなく有線によって音声再生部に送られるようになっていてもかまわない。
【００４３】
ここで、無線スピーカ１の主導により無線チャネルの設定・切断を行う場合について説明する。
【００４４】
無線スピーカ１が本体側装置２から分離され（図３参照）、本体側装置２から無線スピーカ１への電源供給が停止した場合、無線スピーカ１では、電源供給部１２において、これを検知し、その旨を含む第１の通知情報を無線インターフェース部１１へ通知する。この第１の通知情報を受けた無線インターフェース部１１は、本体側装置２との間の無線チャネルを確立するために、本体側装置２に対し無線接続を試みる。
【００４５】
例えば、無線接続をＢｌｕｅｔｏｏｔｈで行う場合、電源供給断の通知を受けた無線インターフェース部１１が、ＢｌｕｅｔｏｏｔｈのＨＣＩコネクションを、本体側装置２の無線インターフェース部２１との間で確立する。ＨＣＩの確立後、上位レイヤのコネクション、無線チャネルを確立し、最終的に、デジタル音声信号を転送できるレイヤまでの通信準備をする。
【００４６】
一方、無線チャネルが確立している際に、無線スピーカ１が本体側装置２へ装着され（図１参照）、本体側装置２から無線スピーカ１への電源供給が再開した場合、無線スピーカ１では、電源供給部１２において、これを検出し、その旨を含む第２の通知情報を無線インターフェース部１１に通知する。この第２の通知情報を受けた無線インターフェース部１１は、本体側装置２との無線チャネルの切断を行う。
【００４７】
なお、本体側装置２との無線チャネルが切断された場合には、無線インターフェース部１１は、その旨を電源供給部１２に通知して、当該無線スピーカ１を省電力モードに遷移させるようにすると好ましい。この場合、本体側装置２との無線チャネルが設定されるにあたって、無線インターフェース部１１は、その旨を電源供給部１２に通知して、当該無線スピーカ１を通常電力モードに遷移させるようにすればよい。無線インターフェースとしてＢｌｕｅｔｏｏｔｈを用いる場合は、Ｐａｒｋモード、Ｈｏｌｄモードに設定するようにしても良い。
【００４８】
次に、本体側装置２の主導により無線チャネルの設定・切断を行う場合について説明する。
【００４９】
まず、或る無線スピーカ１が本体側装置２から分離され（図３参照）、本体側装置２から該無線スピーカ１への電源供給が停止した場合、本体側装置２では、電源供給部２３において、これを検知し、その旨及び該無線スピーカ１を識別する情報（無線スピーカ１が１つのみの場合には、その旨だけで構わない。）を含む第１の通知情報を無線インターフェース部２１へ通知する。この第１の通知情報を受けた無線インターフェース部２１は、当該無線スピーカ１との間の無線チャネルを確立するために、本体側装置２に対し無線接続を試みる。この手順は、無線スピーカ１が複数ある場合には、各無線スピーカ１について行われる。
【００５０】
一方、無線チャネルが確立している際に、或る無線スピーカ１が本体側装置２へ装着され（図１参照）、本体側装置２から該無線スピーカ１への電源供給が再開した場合、本体側装置２では、電源供給部２３において、これを検出し、その旨及び該無線スピーカ１を識別する情報（無線スピーカ１が１つのみの場合には、その旨だけで構わない。）を含む第２の通知情報を無線インターフェース部２１に通知する。この第２の通知情報を受けた無線インターフェース部２１は、当該無線スピーカ１との無線チャネルの切断を行う。この手順は、無線スピーカ１が複数ある場合には、各無線スピーカ１について行われる。
【００５１】
なお、上記では、本体側装置２は、各無線スピーカ１との間の無線チャネルの設定・切断を、各無線スピーカ１について個別に行ったが、例えば、全ての無線スピーカ１が分離されてはじめて、全ての無線スピーカ１との間で無線チャネルの設定を行い、一方、一つでも無線スピーカ１が装着されれば、全ての無線スピーカ１との間で無線チャネルの切断を行うようにしてもよい。
【００５２】
また、例えば、予め無線スピーカ１の全部又は一部でグループを設定しておき（例えば、スピーカ＃１，＃２をグループ＃１とし、スピーカ＃１〜＃４をグループ＃２とし、スピーカ＃１〜＃６をグループ＃３とする。）、或るグループに属する全ての無線スピーカ１が分離されてはじめて、該或るグループに属する全ての無線スピーカ１との間で無線チャネルの設定を行い、一方、該或るグループに属する無線スピーカ１のうちの一つでも装着されれば、該或るグループに属する全ての無線スピーカ１との間で無線チャネルの切断を行うようにしてもよい。あるいは、該或るグループに属する無線スピーカ１のうちの一つでも装着された際に、未だに分離されている無線スピーカ１で他のグループが形成されれば、該他のグループに属する無線スピーカ１以外の無線スピーカ１についてのみ無線チャネルの切断を行うようにしてもよい。
【００５３】
ところで、これまでは、無線スピーカ１が本体側装置２に装着されている際には無線スピーカ１を使用しない場合を想定して説明してきたが、無線スピーカ１が本体側装置２に装着されている際にも、無線スピーカ１を使用可能にしてもよい。本実施形態の場合には、例えば、図２の接続インターフェース部２３１，１２１の接続によって、同時に、本体側装置２のＡＶ復号部２２の音声データ出力が、各無線スピーカ１の音声再生部１３に接続されるように構成してもよい。
【００５４】
以上説明したように本実施形態によれば、音声が出力される可能性のあるときのみ、無線スピーカと本体側装置との間の無線チャネルを構築するので、無線スピーカの消費電力を低く抑えることができる。
【００５５】
（第２の実施形態）
続いて、本発明の第２の実施形態について説明する。
【００５６】
第１の実施形態では、無線スピーカのバッテリー駆動時のみ、無線スピーカと本体側装置との間の無線チャネルを構築したが、本実施形態では、無線スピーカのバッテリー駆動時において再生制御に関する特定のイベントが発生したときのみ、無線スピーカと本体側装置との間の無線チャネルの設定や切断を行うようにしたものである。
【００５７】
ここでは、第１の実施形態と相違する「無線チャネルの設定・切断」の部分を中心に説明する。
【００５８】
図５に、本実施形態に係るコンテンツ再生システムの本体側装置２の構成例を示す。図５に示されるように、本実施形態の本体側装置２は、図３の構成例にＡＶ制御部２４を付加したものである。
【００５９】
本実施形態の無線スピーカ１は、第１の実施形態と同様である。
【００６０】
なお、本実施形態では、本体側装置２の主導により無線チャネルの設定・切断を行うものとする。
【００６１】
本体側装置２のＡＶ制御部は、再生するＡＶコンテンツに対し、その再生に対する制御を行うものである。例えば、本体側装置２がＤＶＤプレーヤに相当する装置である場合に、「再生」、「逆方向再生」、「停止」、「一時停止」、「ｎ倍速順方向再生」、「ｎ倍速方向速再生」、「次」、「前」、「最初」、「最後」などを指示するボタンの押下等による入力がなされたことにより、それらのイベントが発生するものなどが考えられる。
【００６２】
予め、いずれのイベントが発生した場合に、無線チャネルを設定し、いずれのイベントが発生した場合に、無線チャネルを切断するかを、定めておくものとする。ここでは、一例として、「再生」、「一時停止」等のコンテンツを再生させるイベントを第１群のイベントとし、第１群に属するイベントが発生した場合に、無線チャネルを設定し、「停止」等のコンテンツの再生を終了させるイベントを第２群のイベントとし、第２群に属するイベントが発生した場合に、無線チャネルを切断するものとする。
【００６３】
まず、或る無線スピーカ１が本体側装置２から分離され（図３参照）、本体側装置２から該無線スピーカ１への電源供給が停止した場合、本体側装置２では、電源供給部２３において、これを検知し、その旨及び該無線スピーカ１を識別する情報（無線スピーカ１が１つのみの場合には、その旨だけで構わない。）を含む第１の通知情報を無線インターフェース部２１へ通知する。他方、ＡＶ制御部２４は、例えば「再生ボタン」が押されるなどして、第１群に属するいずれかのイベントが発生した場合に、その旨を含む第３の通知情報を無線インターフェース部２１へ通知する。第１の通知情報を受けている状態において第３の通知情報をも受けた無線インターフェース部２１は、当該無線スピーカ１との間の無線チャネルを確立するために、本体側装置２に対し無線接続を試みる。そして、無線チャネルが確立した後に、音声データを転送する。この手順は、無線スピーカ１が複数ある場合には、各無線スピーカ１について行われる。
【００６４】
一方、無線チャネルが確立している際に、或る無線スピーカ１が本体側装置２へ装着され（図１参照）、本体側装置２から該無線スピーカ１への電源供給が再開した場合、本体側装置２では、電源供給部２３において、これを検出し、その旨及び該無線スピーカ１を識別する情報（無線スピーカ１が１つのみの場合には、その旨だけで構わない。）を含む第２の通知情報を無線インターフェース部２１に通知する。他方、ＡＶ制御部２４は、例えば「停止ボタン」が押されるなどして、第２群に属するいずれかのイベントが発生した場合に、その旨を含む第４の通知情報を無線インターフェース部２１へ通知する。第２の通知情報を受けている状態において第４の通知情報をも受けた無線インターフェース部２１は、当該無線スピーカ１との無線チャネルの切断を行う。この手順は、無線スピーカ１が複数ある場合には、各無線スピーカ１について行われる。
【００６５】
なお、ここでは、本体側装置２は、各無線スピーカ１との間の無線チャネルの設設定及び音声データ転送や切断を、各無線スピーカ１について個別に行う場合を例にとって説明したが、もちろん、第１の実施形態で説明したように、全無線スピーカ１について統一的に行ったり、スピーカ・グループごとに統一的に行ったりすることも、もちろん可能である。
【００６６】
また、イベントの設定の仕方には様々なバリエーションが考えられる。例えば、「再生」、「１．５倍速順方向再生」等の音声データの転送を惹起するイベントを、第１群のイベントとし、「停止」、「一時停止」、「８倍速順方向再生」等の音声データの転送を惹起しないイベントを、第２群のイベントとするようにしてもよい。
【００６７】
また、「一時停止」を第１群のイベントとするとともに、「一時停止」イベントが一定時間継続した場合に、第２群のイベントが発生したものとみなすようにしてもよい。
【００６８】
また、コンテンツ再生時に無音状態から有音状態に転じたときに、第１群のイベントが発生したものとみなし、コンテンツ再生時に有音状態から無音状態に転じたときに、第２群のイベントが発生したものとみなす方法も可能である。
【００６９】
ところで、上記では、無線スピーカ１が本体側装置２に装着されている際には無線スピーカ１を使用しない場合を想定して説明してきたが、無線スピーカ１が本体側装置２に装着されている際にも、無線スピーカ１を使用可能にしてもよい。本実施形態の場合には、例えば、図２の接続インターフェース部２３１，１２１の接続によって、同時に、本体側装置２のＡＶ復号部２２の音声データ出力が、各無線スピーカ１の音声再生部１３に接続されるように構成してもよい。あるいは、上記の構成において、無線インターフェース部２１は、常に全無線スピーカ１について、第１の通知情報を受けている状態であるとみなして、処理を行うようにしてもよい。
【００７０】
以上説明したように本実施形態によれば、音声が出力されるときのみ又は音声が出力される蓋然性が高いときのみ、無線スピーカと本体側装置との間の無線チャネルを構築するので、無線スピーカの消費電力を低く抑えることができる。
【００７１】
（第３の実施形態）
次に、本発明の第３の実施形態について説明する。
【００７２】
本実施形態では、第１の実施形態若しくは第２の実施形態のコンテンツ再生システム又は同様の基本構成を有する従来のコンテンツ再生システムにおいて、表示画面に出力する映像と、各無線スピーカから出力する音声と同期に関する制御を行う機能を付加したものである。
【００７３】
図６に、本実施形態に係るコンテンツ再生システムの無線スピーカ１及び本体側装置２の構成例を示す。なお、図６では、無線スピーカ１を１つのみ例示しており、また、電源供給部１２、音声再生部１３、バッテリー１４は省略している。
【００７４】
図６は、本実施形態の同期制御を第１の実施形態に適用した場合を例にとっており、以下では第１の実施形態と相違する「同期制御」の部分を中心に説明するが、第２の実施形態や従来システムに適用する場合も基本的には同様である。
【００７５】
図６に示されるように、本実施形態の本体側装置２は、図３の構成例に同期制御部２５を付加したものであり、本実施形態の無線スピーカ１は、図４の構成例に逆同期信号生成部１５を付加したものである。
【００７６】
コンテンツとしては、映像及び音声を含むコンテンツを対象として、映像と、１又は複数の音声の間の同期を制御する場合を想定しているが、映像を含まないコンテンツを対象として、複数の音声の間の同期を制御する場合もある。
【００７７】
本体側装置２のＡＶ復号部２２は、ＡＶコンテンツを復号化し、映像データと、音声データとに分離する。ここで、本体側装置２の同期制御部２５は、無線インターフェース部２１を介して無線伝送し各無線スピーカ１にて再生する音声データと、当該本体側装置２がモニタを内蔵する場合における当該内蔵のモニタ又はその周辺機器（例えば、当該本体側装置２に接続する図３のようなモニタ３）で表示する映像データとの同期を取るためのタイムスタンプなどの同期情報を生成する。ＡＶ復号部２２は、音声データと同期情報を無線インターフェース部２１に渡し、無線インターフェース部２１は、音声データに同期情報を重畳して、無線スピーカ１に転送する。
【００７８】
無線スピーカ１の逆同期信号生成部１５は、本体側装置２から送られてきた音声データから、タイムスタンプなどの同期情報を取り出し、自身の音声再生能力に応じて、どのタイミングで音声を再生できるかを判断し、その結果として、逆同期信号生成部１５にて、該タイミングを示す情報を含む制御信号を生成し、これを本体側装置２へフィードバックする。例えば、各無線スピーカ１は、タイムスタンプから得られる伝送遅延と、予め記憶されている自装置内の処理による遅延とを加算した遅延を考慮して、音声を再生できるタイミングを決定する。
【００７９】
各無線スピーカ１から逆同期信号を受けた本体側装置２では、それらを同期制御部２５へ渡し、同期制御部２５は、再生する映像コンテンツの表示タイミングを制御する。
【００８０】
一般的には、音声を再生する側において、無線の転送遅延、符号、復号化の遅延などが加算され、本体側装置２又はその周辺機器における映像の再生より遅延が発生することが多い。このため、同期制御部２５は、逆同期信号に基づいて、本体側装置２又はその周辺機器における映像データの再生タイミングを遅らせる制御を行うことになる。
【００８１】
次に、図７の具体例を参照しながら、複数の無線スピーカ１についての遅延にばらつきがある場合に、映像と各音声の全てを同期させる場合について説明する。
【００８２】
図７に例示されるように、１台の本体側装置２と、４台のスピーカ１とが存在するものとする。
【００８３】
ここで、本体側装置２の伝送遅延をｄ０、＃１〜＃４の無線スピーカ１の伝送遅延をそれぞれｄ１〜ｄ４とし、映像の再生遅延（主に映像の復号処理による遅延）をｃ０、＃１〜＃４の無線スピーカ１における音声の再生遅延（主に音声の復号処理による遅延）をｃ１〜ｃ４とする。
【００８４】
なお、以下の同期制御に関する処理は本体側装置２の同期制御部２５が行うものとし、ここでは無線スピーカ１の逆同期信号生成部１５は備えなくて構わない。
【００８５】
本体側装置２のＡＶ復号部２２は、ＡＶコンテンツ（図７のビデオソース８）を復号化し、映像データと、音声データとに分離する。ここで、本体側装置２の同期制御部２５は、以下のような処理を行って、各無線スピーカ１に対応する同期情報を生成する。同期制御部２５は、音声データの転送に先立って、各無線スピーカ１に対応する同期情報を無線インターフェース部２１に渡し、無線インターフェース部２１は、各無線スピーカ１へ、対応する同期情報を転送する。そして、その後に、ＡＶ復号部２２は、映像データをモニタに渡すとともに、各無線スピーカ１に対応する音声データをそれぞれ無線インターフェース部２１を介して各無線スピーカ１へ転送する。
【００８６】
図８に、本体側装置２の同期制御部２５が、映像及び各音声を同期させるための同期情報を生成し転送するための処理手順の一例を示す。
【００８７】
まず、自装置２及び各無線スピーカ１に係る遅延ＤＣｉ＝ｄｉ＋ｃｉ（ｉは、０〜無線スピーカ１の数）を求める（ステップＳ１）。
【００８８】
図７の具体例の場合には、自装置２についてＤＣ０＝ｄ０＋ｃ０を、＃１の無線スピーカ１についてＤＣ１＝ｄ１＋ｃ１を、＃２の無線スピーカ１についてＤＣ２＝ｄ２＋ｃ２を、＃３の無線スピーカ１についてＤＣ３＝ｄ３＋ｃ３を、＃４の無線スピーカ１についてＤＣ４＝ｄ４＋ｃ４をそれぞれ求める。
【００８９】
ここで、本体側装置２及び各無線装置１における再生遅延は、事前に（例えば、出荷前などに）おいて、それぞれにつき計測され、全ての値を本体側装置２内に記憶しておくか、あるいは個々の装置に記憶しておく。前者の方法の場合には、記憶しておいた再生遅延値を読み取る。後者の方法の場合であって、未だ無線スピーカ１から再生遅延値の転送を受けていないもの又は転送を受けたことはあっても現時点でその値を保持していないものについては、該当する無線スピーカ１へ要求を出して、再生遅延を本体側装置２へ転送させる。なお、前者の方法は、本体側装置２及び各無線装置１がセットで販売される場合などに利用することができる。
【００９０】
一方、本体側装置２から各々の無線装置１への伝送遅延は、通信システムにてその品質保証メカニズムより把握可能であれば、それを利用することができるが、そうでない場合には（把握可能である場合にも）、制御データを送受信することで計測することができる。例えば、本体側装置２から無線スピーカ１へラウンド・トリップさせるパケットを送出し、本体側装置２が、その往復時間を計測し、往復時間／２を伝送遅延とする方法や、本体側装置２と無線スピーカ１とで時計を同一の状態にし、本体側装置２から無線スピーカ１へ送信時刻を記載したパケットを送信し、無線スピーカ１が該パケットの受信時刻から該パケットに記載された送信時刻を減じて、伝送遅延を求め、これを無線スピーカ１から本体側装置２へ通知する方法などがある。
【００９１】
次に、最大遅延Ｍａｘ（ＤＣｉ）を満たすｉ（＝ｎとする）を求める（ステップＳ２）。
【００９２】
図７の具体例の場合には、ＤＣ０〜ＤＣ４のうち最大値を与える装置（通常、無線スピーカ１のいずれかとなる）を求める。例えば、＃１の無線スピーカ１を、最大遅延が発生する無線スピーカと決定されたものとする（この場合、ｎ＝１となる）。
【００９３】
次に、各装置について、その遅延ＤＣｉと、無線スピーカ＃ｎの遅延ＤＣｎとの差分値を求める（ステップＳ３）。
【００９４】
例えば、ｎ＝１の場合、ＤＣ０−ＤＣｎからＤＣ４−ＤＣｎをそれぞれ求める。ただし、＃ｎの無線スピーカ１については、計算結果は０になるので、この計算をせずに結果を０として構わない。
【００９５】
そして、各無線スピーカ１に、上記の差分値を示す同期情報を転送する（ステップＳ４）。
【００９６】
しかして、本体側装置２のＡＶ復号部２２は、映像データをモニタに渡すとともに、各無線スピーカ１に対応する音声データをそれぞれ無線インターフェース部２１を介して各無線スピーカ１へ転送する。
【００９７】
そして、当該本体側装置２のＡＶ復号部２２は、映像を再生するにあたって、上記の差分値ＤＣ０−ＤＣｎに対応する時間だけ遅延させるとともに、最大遅延を生じる無線スピーカ１以外の各無線スピーカ１の音声再生部１３は、それぞれ、音声を再生するにあたって、上記の差分値ＤＣｉ−ＤＣｎに対応する時間だけ遅延させるよう動作し、最大遅延を生じる無線スピーカ１の音声再生部１３は、直ちに音声を再生するよう動作し、これによって、映像及び各音声を同期させることができる。
【００９８】
なお、ステップＳ３において、差分値としてＤＣｉ−ＤＣｎを求める代わりに、ＤＣｉ−（ＤＣｎ＋α）を求め、遅延に一定のマージンを設けるようにしてもよい。この場合には、最大遅延を生じる無線スピーカ１の音声再生部１３も、音声を再生するにあたって、マージンに相当する分だけ遅延させるよう動作することになる。
【００９９】
なお、上記では、本体側装置２と無線スピーカ１が無線接続される場合を想定して説明したが、本実施形態の同期制御は、本体側装置とスピーカが有線接続される場合（本体側装置に相当するものにスピーカが内蔵される場合を含む）にも適用可能である。
【０１００】
また、第１〜第３の実施形態では、本体側装置として、映像再生装置を想定して説明してきたが、音声再生装置にも適用可能である。
【０１０１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１０２】
【発明の効果】
本発明によれば、バッテリーで駆動する移動型音声出力装置の消費出力を低減させることができる。
【０１０３】
また、本発明によれば、映像や複数の音声を同期させることができる。
【図面の簡単な説明】
【図１】本発明の第１の実施形態に係るコンテンツ再生システムの構成例を示す図
【図２】同実施形態に係る無線スピーカ及び本体側装置の電源供給部の接続インターフェース部の一例を示す図
【図３】同実施形態に係る本体側装置の構成例を示す図
【図４】同実施形態に係る無線スピーカの構成例を示す図
【図５】本発明の第２の実施形態に係るコンテンツ再生システムの本体側装置の構成例を示す図
【図６】本発明の第３の実施形態に係る無線スピーカ及び本体側装置の構成例を示す図
【図７】同実施形態における同期制御について説明するための図
【図８】同実施形態に係る本体側装置の同期制御部の処理手順の一例を示すフローチャート
【符号の説明】
１…無線スピーカ、１１…無線インターフェース部、１２…電源供給部、１３…音声再生部、１４…バッテリー、１５…逆同期信号生成部、２…本体側装置、２１…無線インターフェース部、２２…ＡＶ復号部、２３…電源供給部、２４…ＡＶ制御部、２５…同期制御部、３…モニタ
【図１】
2005079614.tif 000003
【図２】
2005079614.tif 000004
【図３】
2005079614.tif 000005
【図４】
2005079614.tif 000006
【図５】
2005079614.tif 000007
【図６】
2005079614.tif 000008
【図７】
2005079614.tif 000009
【図８】
2005079614.tif 000010